(57)【特許請求の範囲】
【請求項１】
アンテナ素子部とアース部より構成されるアンテナ部と、
第１の開口部を下端に有し、前記アンテナ素子部を囲う第１のケースと、
第２の開口部を上端に有し、前記アース部を囲う第２のケースより構成され、
前記第１のケースの外側側面は、前記第２のケースの内側側面に固定され、
前記第２のケースは内側側面に突起部が設けられ、さらに、前記第２のケースは、上端側から下端側にかけて溝が設けられることを特徴とするアンテナ構造。
【請求項２】
請求項１記載のアンテナ構造において、
同軸ケーブル穴を有する底蓋が、前記第２のケースの下端に設けられた第３の開口部から、前記第２のケースの内側側面に固定されることを特徴とするアンテナ構造。
【請求項３】
請求項１記載のアンテナ構造において、
前記突起部は、第１の突起部と、前記第１の突起部と相対する方向に設けられる第２の突起部からなり、
前記溝は、第１の溝と、前記第１の溝と相対する方向に設けられる第２の溝からなり、
所定の方向から見たとき、前記第１の溝および前記第２の溝は、前記第１の突起部および前記第２の突起部と異なる位置に設けられることを特徴とするアンテナ構造。
【請求項４】
アンテナ素子部とアース部より構成されるアンテナ部と、
第１の開口部を下端に有し、前記アンテナ素子部を囲う第１のケースと、
第２の開口部を上端に有し、前記アース部を囲う第２のケースより構成され、
前記第１のケースの外側側面は、前記第２のケースの内側側面に固定され、
前記第１のケースは外側側面に突起部が設けられ、
前記第２のケースは内側の面に、上端側から下端側にかけて溝が設けられることを特徴とするアンテナ構造。
【請求項５】
請求項４記載のアンテナ構造において、
前記突起部は前記溝内に入ることを特徴とするアンテナ構造。
【請求項６】
請求項４記載のアンテナ構造において、
前記突起部は、第１の突起部と、前記第１の突起部と相対する方向に設けられる第２の突起部からなり、
前記溝は、第１の溝と、前記第１の溝と相対する方向に設けられる第２の溝からなり、
所定の方向から見たとき、前記第１の突起部は、前記第１の溝と重なることを特徴とするアンテナ構造。
【請求項７】
請求項１および請求項４記載のアンテナ構造において、
前記溝の幅は、前記第２のケースの上端側は広く、前記第２のケースの下端側に向かうに従い、狭くなることを特徴とするアンテナ構造。
【請求項８】
請求項１および請求項４記載のアンテナ構造において、
前記溝は、前記第２のケースの上端側は深く、下端側に向かうに従い、浅くなることを特徴とするアンテナ構造。
【発明の詳細な説明】
【０００１】
【発明の属する技術分野】
本発明は、通信機器などに使用されるアンテナの構造に関するものである。
【０００２】
【従来の技術】
以下、従来のアンテナ構造は、図９および図１０を用いて説明される。図９は、従来のアンテナ構造を示す外観図である。従来、アンテナ構造は図９に示されるように、プラスチックにより成形された円柱状の第１のケース１および第２のケース２より構成され、第１のケース１の外側側面は、第２のケース２の内側側面に圧入により固定される。
【０００３】
図１０は、従来のアンテナ構造を示す断面図であり、第１のケース１と第２のケース２の断面が示される。図１０に示すように、第１のケース１および第２のケース２の内部にはアンテナ部におけるアンテナ素子部１０およびアース部１１が入り、アース部１１は第２のケース２の内側側面に圧入により固定される。アース部１１には同軸ケーブル１２が接続される。また第２のケース２の下端には同軸ケーブル１２を外部に出すための同軸ケーブル穴１３が設けられる。
【０００４】
【発明が解決しようとする課題】
しかしながら、上記図１０に示される構造では、アンテナが廃棄処分となった場合、第１のケース１と第２のケース２は圧入により固定され、またアース部１１と第２のケース２も圧入により固定されるため、第１のケース１と第２のケース２からなるアンテナケース部とアンテナ素子６とアース部７からなるアンテナ部を容易に分けることができないという欠点があった。
【０００５】
本発明は、このような従来の構成が有していた問題を解決しようとしたものであり、異種材料同士であるプラスチック製のアンテナケース部と金属製のアンテナ部を容易に分けられる構造にし、アンテナケース部をリサイクルに回せるようにしたものである。
【０００６】
【課題を解決するための手段】
かかる課題を解決するため、第１の本発明によるアンテナ構造は、アンテナ素子部とアース部より構成されるアンテナ部と、第１の開口部を下端に有し、アンテナ素子部を囲う第１のケースと、第２の開口部を上端に有し、アース部を囲う第２のケースより構成され、第１のケースの外側側面は、第２のケースの内側側面に固定され、第２のケースは、内側側面に突起部が設けられ、さらに、第２のケースは、上端側から下端側にかけて溝が設けられることを特徴とする。
【０００８】
また、第２の本発明によるアンテナ構造は、アンテナ素子部とアース部より構成されるアンテナ部と、第１の開口部を下端に有し、アンテナ素子部を囲う第１のケースと、第２の開口部を上端に有し、アース部を囲う第２のケースより構成され、第１のケースの外側側面は、第２のケースの内側側面に固定され、第１のケースは外側側面に突起部が設けられ、第２のケースは内側の面に上端側から下端側にかけて、溝が設けられることを特徴とする。
【０００９】
【発明の実施の形態】
（Ａ）第１の実施形態
以下、本発明によるアンテナ構造の第１の実施形態は、図１〜図４を用いて説明される。
【００１０】
図１は第１の実施形態のアンテナ構造を示す断面図である。図２は第１の実施形態の第２のケースの上面図である。図３は第１の実施形態の第２のケースを示す断面図である。図４は第１の実施形態の動作を示す図である。
【００１１】
図１に示すように、アンテナケース部はプラスチックにより成形された第１のケース１と第２のケース２から構成される。第１のケース１は下端に第１の開口部３が設けられる。第２のケース２は上端に第２の開口部４、下端に第３の開口部５が設けられる。また図1において、第２の開口部４は破線で示される。
【００１２】
さらに、第２のケース２の内側側面には、第１の突起部６と第２の突起部７および、破壊部として第１の溝８と第２の溝９が設けられる（図２参照。詳細は、後述説明される。）。ただし、図１において、第１の溝８は破線で示され、第２の溝９は示されない。
【００１３】
第１の突起部６と第２の突起部７は、第２のケース２の内側側面に、同じ高さの位置に設けられる。第１の突起部６と第２の突起部７は、後述説明される動作の説明において、第１の突起部６と第２の突起部７に乗り上げる第１のケース１の下端を、第２のケース２の内側かつ下方に滑らせる平面を有する。また第１の突起部６と第２の突起部７は、平面ではなく、曲面を有してもよい。第１のケース１と第２のケース２の内部に入るアンテナ部は、第１のケース１が囲うアンテナ素子部１０と第２のケース２が囲うアース部１１から構成される。アース部１１の下端には同軸ケーブル１２が接続される。
【００１４】
アース部１１は第３の開口部５から圧入され、第２のケース２の内側側面に固定される。アース部１１が圧入された後、同軸ケーブル１２を通す同軸ケーブル穴１３を有する円柱状の底蓋１４が、第３の開口部５から圧入され、底蓋１４の外側側面は第２のケース２の内側側面に固定される。また第１のケース１の外側側面は、第２のケース２の内側側面に圧入により固定される。
【００１５】
図２に示すように、第２のケース２の内側側面には、第１の突起部６と第２の突起部７が互いに相対する方向に設けられ、さらに第１の溝８と第２の溝９が互いに相対する方向に設けられる。
【００１６】
第１の溝８と第２の溝９は、同一の形状であり、第２のケース２の外側に向かうに従い、幅が狭くなるような三角形状である。また第１の溝８と第２の溝９は三角形状に限らず、半円形状でもよい。
【００１７】
さらに、図２のように第２のケース２を真上から見るとき、第１の溝８および第２の溝９は、第１の突起部６および第２の突起部７と異なる位置に設けられる必要があり、第１の溝８および第２の溝９は、第２のケース２の中心から見て、第１の突起部６および第２の突起部７と９０度異なる位置に設けられる。つまり、後述説明される動作の説明において、第２のケース２の応力が最も集中する部分に、第１の溝８および第２の溝９が設けられる。
【００１８】
図１、図２に示すように、第１のケース１と第２のケース２は、円筒状であるが、円筒状に限らず、底面の形状が多角形となる角柱状でもよい。また第１の突起部６と第２の突起部７は同一の形状である。
【００１９】
第１の溝８と第２の溝９は、第２のケース２の上端側の幅は広く、第２のケースの下端側に向かうに従い、幅は狭くなる。
【００２０】
図２、図３に示すように、第１の溝８と第２の溝９は、さらに第２のケース２の上端側は深く、第２のケース２の下端側に向かうに従い、浅くなり、第２のケース２の上端から下端にかけて設けられる。この第１の実施形態では、第１の溝８と第２の溝９が設けられ、第２のケース２の厚さが薄くなった部分が破壊部となる。破壊部とは、第２のケース２の破壊部以外の部分と比べ、破壊応力が小さい部分である。
【００２１】
次に図４を用いて、以上の構成によるアンテナ構造の動作を説明する。
【００２２】
図４に示すように、アンテナが不用になり廃棄するときは、第１のケース１の上端を矢印Ｚの方向にハンマーなどで強く叩き、力を加える。これより、第１のケース１の下端は、第１の突起部６および第２の突起部７に乗り上げ、第１の突起部６および第２の突起部７との接触面を滑る。このとき、第２のケース２は内側側面に設けられる第１の溝８に応力が集中し、第１の溝８に沿って割れる。割れた第１の溝８は破線で示される。また図には示されないが、同様に第２の溝９にも応力が集中し、第２の溝９に沿って割れる。
【００２３】
この第１の実施形態では、第１の溝８と第２の溝９は第２のケース２の内側側面に設けられたが、外側側面に設けられてもよい。また破壊部として、第１の溝８と第２の溝９が設けられたが、破壊部は、プラスチックで成形された第２のケース２と比べ、破壊応力が小さい部材で成形されたものでもよい。
【００２４】
また、この第１の実施形態では、第２のケース２に第１の突起部６と第２の突起部７、および第１の溝８と第２の溝９が設けられたが、突起部と溝（破壊部）の数はこれに限らない。
【００２５】
（Ｂ）第２の実施形態
以下、本発明によるアンテナ構造の第２の実施形態は、図５〜図８を用いて説明される。
【００２６】
図５は第２の実施形態のアンテナ構造を示す断面図である。図６は第２の実施形態のアンテナケースを示す断面図である。図７は第２の実施形態のアンテナ構造の上面図である。図８は第２の実施形態の動作を示す図である。
【００２７】
図５に示すように、アンテナケース部はプラスチックにより成形された第１のケース１と第２のケース２から構成される。第１のケース１は下端に第１の開口部３が設けられる。第２のケース２は上端に第２の開口部４、下端に同軸ケーブル１２を通す同軸ケーブル穴１３が設けられる。また、第２の開口部４は破線で示される。
【００２８】
第３の突起部１５と第４の突起部１６は同一の形状であり、第１のケース１の外側側面に、互いに相対する方向で、かつ同じ高さに設けられる。
【００２９】
第３の溝１７と第４の溝１８は同一の形状であり、第２のケース２の内側側面の上端から同軸ケーブル穴１３にかけて、互いに相対する方向に設けられる。また第３の溝１７と第４の溝１８は、第２のケース２の上端側は深く、第２のケース２の下端側に向かうに従い、浅くなる。
【００３０】
第１のケース１と第２のケース２の内部に入るアンテナ部は、第１のケース１が囲うアンテナ素子部１０と第２のケース２が囲うアース部１１から構成される。アース部１１の下端には同軸ケーブル１２が接続される。アース部１１は第２の開口部４から圧入され、第２のケース２の内側側面に固定される。また第１のケース１の外側側面は、第２のケース２の内側側面に圧入により固定される。
【００３１】
図６に示すように、第３の突起部１５の上端側の幅は広く、下端側に向かうに従い、幅は狭くなる。第４の突起部１６は図に示されないが、第３の突起部１５と同様に、上端側の幅は広く、下端側に向かうに従い、幅は狭くなる。さらに第３の溝１７と第４の溝１８は、第２のケース２の上端側の幅は広く、下端側に向かうに従い、幅は狭くなる。
【００３２】
図７に示すように、第２の実施形態のアンテナ構造を真上から見ると、第３の突起部１５と第３の溝１７は重なり、第４の突起部１６と第４の溝は重なる。第３の突起部１５と第４の突起部１６の上面は第１のケース１の内側に向かうに従い、幅が広くなるような三角形状である。また第３の溝１７と第４の溝１８は第２のケース２の外側に向かうに従い、幅が狭くなるような三角形状である。
【００３３】
図５、図７に示すように、第１のケース１の外側側面は、第２のケース２の内側側面に圧入により固定されるとき、第３の突起部１５は第３の溝１７内に入り、第４の突起部１６は第４の溝１８内に入るように固定される。また第３の突起部１５との突起部１６は第２のケース２の上端側で第２のケース２と接する。
【００３４】
後述される動作の説明で矢印Ｚ（図８）方向に力を加えたとき、それぞれ第３の突起部１５は第３の溝１７に、第４の突起部１６は第４の溝１８に入るようであれば、第１のケース１の外側側面が、第２のケース２の内側側面に固定されるとき、第３の突起部１５は第３の溝１７内に、かつ第４の突起部１６は第４の溝１８内に入らなくてもよい。
【００３５】
また第１のケース１と第２のケース２は、円筒状に限らず、上から見た形状が多角形となる角柱状でもよい。
【００３６】
次に図８を用いて、以上の構成によるアンテナ構造の動作を説明する。
【００３７】
図８に示すように、アンテナが不用になり廃棄するときは、第１のケース１の上端を矢印Ｚの方向にハンマーなどで強く叩き、力を加える。これより、第３の突起部１５は第３の溝１７に沿って滑り、第４の突起部１６も第４の溝１８に沿って滑り、第３の突起部１５と第４の突起部１６は第２のケース２を内側から外側に押す。このとき、第２のケース２は内側に設けられる第３の溝１７に応力が集中し、第３の溝１７に沿って割れる。また図には示されないが、同様に第４の溝１８にも応力が集中し、第４の溝１８に沿って割れる。
【００３８】
またこの第２の実施形態では、第３の突起部１５および第４の突起部１６と、第３の溝１７および第４の溝１８が設けられたが、突起部と溝の数はこれに限らない。
【００３９】
【発明の効果】
以上のように、本発明のアンテナ構造によれば不用となったアンテナは、プラスチックにより成形されたアンテナケース部と金属により成形されたアンテナ部を容易に分けることができ、プラスチックにより成形されたアンテナケース部をリサイクルに回すことができる。
【図面の簡単な説明】
【図１】本発明の第１の実施形態のアンテナ構造を示す断面図
【図２】本発明の第１の実施形態の第２のケースの上面図
【図３】本発明の第１の実施形態の第２のケースを示す断面図
【図４】本発明の第１の実施形態の動作を示す図
【図５】本発明の第２の実施形態のアンテナ構造を示す断面図
【図６】本発明の第２の実施形態のアンテナケースを示す断面図
【図７】本発明の第２の実施形態のアンテナ構造の上面図
【図８】本発明の第２の実施形態の動作を示す図
【図９】従来のアンテナ構造を示す外観図
【図１０】従来のアンテナ構造を示す断面図
【符号の説明】
１…第１のケース、２…第２のケース、３…第１の開口部、４…第２の開口部、５…第３の開口部、６…第１の突起部、７…第２の突起部、８…第１の溝、９…第２の溝、１０…アンテナ素子部、１１…アース部、１２…同軸ケーブル、１３…同軸ケーブル穴、１４…底蓋、１５…第３の突起部、１６…第４の突起部、１７…第３の溝、１８…第４の溝。
【図１】
0003848166.tif 000002
【図２】
0003848166.tif 000003
【図３】
0003848166.tif 000004
【図４】
0003848166.tif 000005
【図５】
0003848166.tif 000006
【図６】
0003848166.tif 000007
【図７】
0003848166.tif 000008
【図８】
0003848166.tif 000009
【図９】
0003848166.tif 000010
【図１０】
0003848166.tif 000011